(57)【要約】      （修正有）【課題】高齢者であっても椅子に着座した状態で楽にトレーニングすることができるとともに、構造の単純化と小型化及び低コスト化、設置スペースの縮小などを図ることができるトレーニングマシンを提供する。【解決手段】本考案に係るトレーニングマシン１は、ユーザーが椅子に着座した状態で両手と両脚を往復運動させることによってユーザーの健康促進を図るためのものであって、床面上に設置される支持フレーム２と、支持フレーム２の上端部に設けられた左右一対の自在継手３と、一対の自在継手３から上下にそれぞれ延びる上下及び左右に回動可能なハンドル４及びアーム５と、各アーム５の下端部に回動可能に軸支されたペダル６とを備えている。【選択図】図１
0003231913.tif 000002
【実用新案登録請求の範囲】
【請求項１】
ユーザーが椅子に着座した状態で両腕と両脚を往復運動又は回転運動させることによって該ユーザーの健康促進を図るためのトレーニングマシンであって、
床面上に設置される支持フレームと、
前記支持フレームの上端部に設けられた左右一対の自在継手と、
前記一対の自在継手から上下にそれぞれ延びる前後方向，左右方向，回転方向のいずれかの方向に回動可能なハンドル及びアームと、
前記各アームの下端部に回動可能に軸支されたペダルと、
を備えることを特徴とするトレーニングマシン。
【請求項２】
前記支持フレームは、床面上に互いに平行に載置される一対のベース部材と、各ベース部材から斜め上方に起立して上端部で互いに連結された一対のクロス部材とで構成され、
一方の前記クロス部材は、ヒンジによって他方の前記クロス部材に回動可能に連結されていることを特徴とする請求項１に記載のトレーニングマシン。
【請求項３】
左右一対の前記ハンドルは、左右一対の前記各自在継手に着脱可能に取り付けられていることを特徴とする請求項１または２に記載のトレーニングマシン。
【考案の詳細な説明】
【技術分野】
【０００１】
本考案は、ユーザーが椅子に着座した状態で両腕と両脚を往復運動や回転運動させることによって該ユーザーの健康促進を図るためのトレーニングマシンに関する。
【背景技術】
【０００２】
ステップ運動、ランニング運動、スライド運動などの有酸素運動は、健康促進に効果があることは一般的に知られている。これらの有酸素運動は、時間的な制約や天候などの理由から必ずしも定期的に或いは屋外で行うことができる訳ではないため、自分の好きな時間に屋内で有酸素運動を行うことができるトレーニングマシンが例えば特許文献１〜４などにおいて提案されている。
【０００３】
これらのトレーニングマシンによれば、歩行動作やランニング動作などの有酸素運動によって体脂肪の燃焼を促進したり、足腰の筋肉を鍛えることができる。
【先行技術文献】
【特許文献】
【０００４】
【特許文献１】特表２０００−５０１６３６号公報
【特許文献２】実用新案登録第３０７０５１４号公報
【特許文献１】特開２０１１−２５４８７２号公報
【特許文献２】特許第５５５３２４９号公報
【考案の概要】
【考案が解決しようとする課題】
【０００５】
しかしながら、特許文献１〜４において提案されたトレーニングマシンは、ユーザーが起立した状態で歩行動作やランニング動作を行うものであるため、ユーザーのエネルギー消費量が多く、例えば、体力に自信がない子供や女性、高齢者が気楽に使用することができないという問題がある。また、トレーニングマシンには、ユーザーの運動に負荷を掛ける負荷装置などが設けられているため、構造が複雑で大型化し、コストアップを招く他、これの設置に大きなスペースを要するという問題もある。
【０００６】
本発明は、上記問題に鑑みてなされたもので、その目的とする処は、ユーザーが高齢者や子供、女性であっても、椅子に着座した状態で楽にトレーニングすることができるとともに、構造の単純化と小型化及び低コスト化、設置スペースの縮小などを図ることができるトレーニングマシンを提供することにある。
【課題を解決するための手段】
【０００７】
上記目的を達成するため、請求項１記載の考案は、ユーザーが椅子に着座した状態で両腕と両脚を往復運動又は回転運動させることによって該ユーザーの健康促進を図るためのトレーニングマシンであって、床面上に設置される支持フレームと、前記支持フレームの上端部に設けられた左右一対の自在継手と、前記一対の自在継手から上下にそれぞれ延びる上下方向，左右方向，回転方向のいずれかの方向に回動可能なハンドル及びアームと、前記各アームの下端部に回動可能に軸支されたペダルと、を備えることを特徴とする。
【０００８】
請求項２に記載の考案は、請求項１に記載の考案において、前記支持フレームは、床面上に互いに平行に載置される一対のベース部材と、各ベース部材から斜め上方に起立して互いに連結された一対のクロス部材とで構成され、一方の前記クロス部材は、ヒンジによって他方の前記クロス部材に回動可能に連結されていることを特徴とする。
【０００９】
請求項３に記載の考案は、請求項１または２に記載の考案において、左右一対の前記ハンドルは、左右一対の前記各自在継手に着脱可能に取り付けられていることを特徴とする。
【００１０】
請求項４に移載の考案は、請求項３に記載の考案において、一方の前記クロス部材に、前記自在継手から取り外された前記ハンドルを差し込んでこれを保持するためのホルダを取り付けたことを特徴とする。
【００１１】
請求項５に記載の考案は、請求項１〜４の何れかに記載の考案において、左右一対の前記メダルに、当該ペダルの上面が常に上方を向くようにするための錘を設けたことを特徴とする。
【考案の効果】
【００１２】
請求項１に記載の考案によれば、トレーニングマシンは、床面上に設置される支持フレームと、該支持フレームの上端部に設けられた左右一対の自在継手と、これらの一対の自在継手から上下にそれぞれ延びる上下及び左右に回動可能なハンドル及びアームと、左右の各アームの下端部に回動可能に軸支されたペダルとで構成されるため、その構造が単純化して小型化と低コスト化が図られる。
【００１３】
請求項２に記載の考案によれば、トレーニングマシンは、これを使用しない場合には、小さく折り畳むことができるため、その設置スペースが小さくて済む。
【００１４】
請求項３に記載の考案によれば、トレーニングマシンを使用しない場合には、左右のハンドルを自在継手から取り外すことができるため、トレーニングマシンの設置スペースを縮小することができる。
【００１５】
左右のハンドルは、上半側が左右の外側に向けて拡がった形状に造形されている。そして自在継手から取り外された左右のハンドルは、クロス部材に取り付けられたホルダに差し込んでコンパクトに収容することができる。
【００１６】
ペダルは、錘の作用によってその上面が常に上方に向くため、椅子に着座したユーザーは、何の操作を要することなく、両足を左右のペダル上にそのまま置くことができる。
【図面の簡単な説明】
【００１７】
【図１】本考案に係るトレーニングマシンの斜視図である。
【図２】本考案に係るトレーニングマシンの収納時の状態を示す斜視図である。
【図３】本考案に係るトレーニングマシンの組立時の状態を示す斜視図である。
【図４】本考案に係るトレーニングマシンの組立時の状態を示す斜視図である。
【考案を実施するための形態】
【００１８】
以下に本考案の実施の形態を添付図面に基づいて説明する。
【００１９】
図１は本考案に係るトレーニングマシンの斜視図、図２は同トレーニングマシンの収納時の状態を示す斜視図、図３及び図４は同トレーニングマシンの組立時の状態を示す斜視図である。なお、以下の説明においては、椅子に着座したユーザーから見た場合の方向、つまり、図１に矢印にて示す方向を「前」、「後」方向及び「左」、「右」方向とする。
【００２０】
図１に示す本考案に係るトレーニングマシン１は、ユーザーが椅子に着座した状態で両手と両脚を往復運動させることによって該ユーザーの健康促進を図るためのものであって、基本的には、床面上に設置される支持フレーム２と、該支持フレーム２の上端部に設けられた左右一対の自在継手３と、これらの一対の自在継手３から上下にそれぞれ延びる上下及び左右に回動可能なハンドル４及びアーム５と、左右の各アーム５の下端部に回動可能に軸支されたペダル６とを備えている。
【００２１】
上記支持フレーム２は、床面上に互いに平行に載置される前後の一対のベース部材７と、各ベース部材７から斜め上方に起立して互いに連結された一対のクロス部材８，９とで構成されている。ここで、各ベース部材７は、左右方向に配置された軽量なアルミニウム合金製の矩形パイプによって構成されており、これらの左右両端部には、滑り防止用のゴムキャップ１０がそれぞれ被着されている。
【００２２】
また、前記クロス部材８，９も軽量なアルミニウム合金製の矩形パイプによって構成されており、前側の短いクロス部材８は、前側のベース部材７の左右方向中央部から後方に向かって斜め上方に立設され、後側の長いクロス部材９は、後側のベース部材７の左右方向中央部から前方に向かって斜め上方に立設されている。そして、前側のクロス部材８の上端部は、ヒンジブラケット１１によって後側のクロス部材９の上部に回動可能に連結されており、当該トレーニングマシン１が使用可能な図１に示す状態では、両クロス部材８，９は、側面視逆Ｖ字状を成している。ここで、ヒンジブラケット１１には円孔状の差込孔１１ａ（図３参照）が形成されており、この差込孔１１ａからＬ字状のロックピン１２をクロス部材９に形成された不図示の差込孔に通すことによって、クロス部材８の回動が阻止されて前述のように両クロス部材８，９が図１に示すように側面視逆Ｖ字状を維持する。
【００２３】
さらに、後側のクロス部材９の上端には、固定ブロック１３が前方に向かって一体に突設されており、この固定部ブロック１３の左右には、前記自在継手３がそれぞれ取り付けられている。ここで、各自在継手３は、固定ブロック１３の左右から外側方に向かって水平に延びる軸１４を中心として前後に回動することができるとともに、軸１４の前後に配置された軸支部１５を中心として左右に回動することができる。なお、固定ブロック１３と左右の自在継手３は、共にアルミニウム合金で構成されている。
【００２４】
そして、左右の各自在継手３の上部からは前記ハンドル４がそれぞれ上方に向かって延びており、各自在継手３の下部からは前記アーム５が下方に向かってそれぞれ延びている。ここで、左右の各ハンドル４は、少なくとも上半側が左右の外側に向けて離反するように湾曲又は屈曲したアルミニウム合金製の丸パイプ４ａであり、その先端部に樹脂製のグリップ４ｂを被着して構成されており、各丸パイプ４ａの下端部には、出没可能なピン１６がそれぞれ設けられている。
【００２５】
また、各自在継手３の上面には、差込パイプ１７がそれぞれ垂直に固定されており、各差込パイプ１７には、左右の各ハンドル４の丸パイプ４ａの下端部が上方から差し込まれ、各丸パイプ４ａの下端部に設けられたピン１６が差込パイプ１７の側部に形成された円孔状の係合孔１７ａに係合することによって、各ハンドル４が各自在継手３の上部にそれぞれ着脱可能に取り付けられている。
【００２６】
他方、左右の自在継手３の下端部から下方に向かって延びる左右の各アーム５は、軽量なアルミニウム製の角パイプによって構成されており、その下端には、軸１８が外側方に向かってそれぞれ水平に延びており、各軸１８には前記ペダル６がそれぞれ回動可能に支持されている。ここで、各ペダル６の上面には、滑り止めのゴムパッド１９が敷設されている。
【００２７】
また、左右の各ペダル６には、その上面のゴムパッド１９が常に上方を向くようにするための錘２０がそれぞれ取り付けられている。
【００２８】
ところで、後側のクロス部材９の背面の高さ方向中央部には、取り外したハンドル４を差し込んで保持するための左右一対のホルダ２１が取り付けられている。ここで、各ホルダ２１は、丸パイプによって構成されており、これらの下部には、円孔状の係合孔２１ａがそれぞれ形成されている。
【００２９】
以上のように構成されたトレーニングマシン１は、これを使用しないときには、図２に示すように、ロックピン１２がヒンジブラケット１１と後側のクロス部材９から引き抜かれる。すると、前側のクロス部材８がヒンジブラケット１１を中心として回動可能となるため、該クロス部材８がその上端部を中心として後方へと回されて図２に示すように折り畳まれて後側のクロス部材９に重ねられる。このとき、前側のベース部材７も後側のベース部材７に重ねられる。さらに、図２には図示していないが、左右のアーム５もペダル６と共に自在継手３の軸１４を中心として後方へと回されてクロス部材８，９へと近づけられて折り畳まれる。
【００３０】
このように、本考案に係るトレーニングマシン１は、床面上に設置される支持フレーム２と、該支持フレーム２の上端部に設けられた左右一対の自在継手３と、これらの一対の自在継手３から上下にそれぞれ延びる上下及び左右に回動可能なハンドル４及びアーム５と、左右の各アーム５の下端部に回動可能に軸支されたペダル６とで構成されているため、その構造が単純化して小型化と低コスト化が図られる。また、このトレーニングマシン１は、これを使用しない場合には、小さく折り畳むことができるため、その設置スペースが小さくて済む。
【００３１】
而して、図２に示すように折り畳まれたトレーニングマシン１を用いてトレーニングを行う場合には、図２に示す状態から前側のクロス部材８をヒンジブラケット１１を中心として前方（図示矢印方向）へと回動させ、図３に示すように、ロックピン１２をヒンジブラケット１１の差込孔１１ａと後側のクロス部材９の不図示の差込孔に通す。すると、前側のクロス部材８の回動がロックされ、該クロス部材８と後側のクロス部材９が側面視逆Ｖ字状に開いた状態に保持される。
【００３２】
また、図３に示すように、後側のクロス部材９の背面に取り付けられた左右のホルダ２１がら左右のハンドル４を引き抜いて取り外し、図４に示すように、取り外された左右のハンドル４を左右の自在継手３の上面に取り付けられた差込パイプ１７に上方から差し込めば、各ハンドル４の丸パイプ４ａの下端に設けられたピン１６が差込パイプ１７に形成された係合孔１７ａに係合するため、上半部が左右方向の外側に開いた左右のハンドル４が左右の各自在継手３の上部にそれぞれ取り付けられ、トレーニングマシン１が図１に示すように組み立てられ、その使用が可能となる。
【００３３】
以上のように組み立てられたトレーニングマシン１を使用してユーザーがトレーニングを行う場合には、ユーザーは、図示しない着座し、両腕の手で左右のハンドル４の各グリップ４ｂをそれぞれ握るとともに、両脚の足を左右のペダル６の上に置く。この場合、左右の各ペダル６には錘２０が取り付けられているため、この錘２０の重量によって各ペダル６の上面（ゴムパッド１９）は、常に上方を向いている。このため、ユーザーは、何の操作を要することなく、そのまま両足を左右のペダル６の上に置くことができる。
【００３４】
そして、ユーザーは、上記状態から両手と両足を交互に前後方向にスライド動作（押し引き動作）させ、或いは左右方向にスライド動作（押し開き及び狭める動作）させ、若しくは回転方向に回転動作させる有酸素運動を繰り返すことによって、体脂肪の燃焼を促進させ、股関節や腕や背中の筋肉を鍛えることができる。ユーザーが左右のハンドル４を握って両腕を交互に前後方向に伸縮させる運動をするとき、ハンドル4の上半側が左右方向の外側に開いていることにより、手前に引いたハンドル４が椅子に座ったユーザーの躯体と干渉することはない。
【００３５】
以上のように，本実施の形態に係るトレーニングマシン１によれば、ユーザーが高齢者や子供、或いは女性であっても、椅子に着座した状態で所要のトレーニング（有酸素運動）を楽に行うことができる。
【００３６】
また、本実施の形態に係るトレーニングマシン１は、床面上に設置される支持フレーム２と、該支持フレーム２の上端部に設けられた左右一対の自在継手３と、これらの一対の自在継手３から上下にそれぞれ延びる上下及び左右に回動可能なハンドル４及びアーム５と、左右の各アーム５の下端部に回動可能に軸支されたペダル６とで構成されるため、その構造が単純化して小型化と低コスト化が図られる。
【００３７】
そして、本実施の形態に係るトレーニングマシン１は、これを使用しない場合には、小さく折り畳むことができるため、その設置スペースが小さくて済むという効果も得られる。
【００３８】
なお、本考案は、以上説明した実施の形態に適用が限定されるものではなく、実用新案登録請求の範囲及び明細書と図面に記載された技術的思想の範囲内で種々の変形が可能であることは勿論である。
【符号の説明】
【００３９】
１        トレーニングマシン
２        支持フレーム
３        自在継手
４        ハンドル
５        アーム
６        ペダル
７        ベース部材
８，９    クロス部材
１１      ヒンジブラケット
１２      ロックピン
１３      固定ブロック
１７      差込パイプ
２０      錘
２１      ホルダ
【図１】
0003231913.tif 000003
【図２】
0003231913.tif 000004
【図３】
0003231913.tif 000005
【図４】
0003231913.tif 000006